(57)【要約】【課題】印字速度を高速に設定した場合であっても、高い印字品質を維持しつつ、白筋を防止することができる印刷装置を提供する。【解決手段】緩浸透黒インクを吐出する緩浸透ブラックノズル群４１１と、超浸透ブラックノズル群と同じピッチで、かつ、１／２ピッチだけ副走査方向にずれて配置されている超浸透ブラックノズル群４１２と、を有するヘッド４１と、ヘッドの主走査方向へ走査、及び各ノズル群からのインク吐出を制御する制御手段とを備え、制御手段は緩浸透ブラックノズル群から緩浸透黒インクを吐出させる一方、超浸透ブラックノズル群からは吐出させずに印刷する通常印刷モードと、緩浸透ブラックノズル群から緩浸透黒インク、及び超浸透ブラックノズル群から超浸透黒インクをそれぞれ吐出させて印刷をする、高速印刷モードと、を含む複数の印刷モードのいずれかで印刷を行うように制御する。【選択図】図２
2011183639.tif 000002
【特許請求の範囲】
【請求項１】
超浸透黒インクを吐出する複数のノズルが副走査方向に所定のピッチで配置されている第１のノズル群と、
緩浸透黒インクを吐出する複数のノズルが、副走査方向に前記第１のノズル群と同じピッチで、かつ、前記第１のノズル群に対して１／２ピッチだけ副走査方向にずれて配置されている第２のノズル群と、を有する印刷ヘッドと、
前記印刷ヘッドの主走査方向への走査、及び前記第１及び第２のノズル群からのインク吐出を制御する制御手段と、を備え、
前記制御手段は、
前記第１のノズル群から緩浸透黒インクを吐出させる一方、前記第２のノズル群から超浸透黒インクを吐出させずに印刷する第１印刷モードと、
前記印刷ヘッドの移動速度が前記第１印刷モードのときよりも速く、かつ、前記印刷ヘッドの一回の走査で１バンドの印刷をする第２印刷モードであって、前記第１のノズル群から緩浸透黒インク、及び前記第２のノズル群から超浸透黒インクをそれぞれ吐出させて印刷をする、第２印刷モードと、を含む複数の印刷モードのいずれかで印刷を行うように制御する印刷装置。
【請求項２】
前記制御手段は、
前記第２印刷モードでは、画素値が大きくなるに連れて、吐出するインク量に占める超浸透黒インクの割合が大きくなるように、超浸透黒インク及び緩浸透黒インクの混合比率を変動させる、請求項１記載の印刷装置。
【請求項３】
前記印刷ヘッドは、超浸透カラーインクを吐出する複数のノズルが、副走査方向に前記第１のノズル群と同じピッチで、かつ、前記第１のノズル群と副走査方向にピッチを揃えて配置されている第３のノズル群をさらに有し、
前記制御手段は、
前記第１印刷モードでカラー印刷を行うときは、前記第１のノズル群から緩浸透黒インク、及び前記第３のノズル群から超浸透カラーインクをそれぞれ吐出させる一方、前記第２のノズル群から超浸透黒インクを吐出させずに印刷し、
前記第２印刷モードでカラー印刷を行うときは、前記第１のノズル群から緩浸透黒インク、前記第２のノズル群から超浸透黒インク、及び前記第３のノズル群から超浸透カラーインクをそれぞれ吐出させて印刷を行うように制御する印刷装置。
【請求項４】
超浸透黒インクを吐出する複数のノズルが副走査方向に所定のピッチで配置されている第１のノズル群と、
緩浸透黒インクを吐出する複数のノズルが、副走査方向に前記第１のノズル群と同じピッチで、かつ、前記第１のノズル群に対して１／２ピッチだけ副走査方向にずれて配置されている第２のノズル群と、を有する印刷ヘッドと、
前記印刷ヘッドの主走査方向への走査、及び前記第１及び第２のノズル群からのインク吐出を制御する制御手段と、を備えた印刷装置の制御方法であって、
前記制御手段は、
前記第１のノズル群から緩浸透黒インクを吐出させる一方、前記第２のノズル群から超浸透黒インクを吐出させずに印刷する第１の印刷ステップと、
前記印刷ヘッドの移動速度が前記第１印刷モードのときよりも速く、かつ、前記印刷ヘッドの一回の走査で１バンドの印刷をする第２の印刷ステップであって、前記第１のノズル群から緩浸透黒インク、及び前記第２のノズル群から超浸透黒インクをそれぞれ吐出させて印刷をする、第２の印刷ステップと、を含む複数の印刷ステップのいずれかで印刷を行う印刷装置の制御方法。
【発明の詳細な説明】
【技術分野】
【０００１】
本発明は、超浸透インク及び緩浸透インクを用いた印刷装置及び印刷装置の制御方法に関する。
【背景技術】
【０００２】
従来、インクジェット式の印刷装置には、カラーインクに記録媒体への浸透性の高い超浸透インク、黒インクに記録媒体への浸透性の低い緩浸透インクを併用したものがあった。
【０００３】
例えば、特許文献１には、記録紙の耐水剤を溶かす作用のあるヘキサレングリコールを、通常よりも多く含有した超浸透カラーインクを使用することで、カラーインクの浸透、定着時間を短くして、カラーインクの混色滲みを防止するインクジェットプリンターが開示されている。
【先行技術文献】
【特許文献】
【０００４】
【特許文献１】特開平４−１４７８６６号公報
【発明の概要】
【発明が解決しようとする課題】
【０００５】
特許文献１では、カラーインクに超浸透インクを使用することで、隣接して着弾された異色インクの混色滲みを少なくする一方、黒インクについては、緩浸透インクを使用することで、特に文字印刷等を行う場合、高濃度でクリアな品質を実現していた。
【０００６】
しかし、緩浸透インクは、高濃度でクリアな印字品質を実現できる半面、着弾位置からのインクの広がり（浸透）が少ない。特に、通常よりヘッドの移動速度が速い高速モード印刷の場合には、吐出したインクがヘッドの移動方向（主走査方向）に広がりをもって着弾してしまうため、その分副走査方向へのインクの広がりが少なく、副走査方向に隣接して着弾されたインク間に隙間が空く、いわゆる白筋が発生してしまうという課題があった。
【０００７】
本発明の目的は、印字速度を高速に設定した場合であっても、高い印字品質を維持しつつ、白筋を防止することができる印刷装置及び印刷装置の制御方法を提供することにある。
【課題を解決するための手段】
【０００８】
本発明の一つの実施態様に従う印刷装置は、超浸透黒インクを吐出する複数のノズルが副走査方向に所定のピッチで配置されている第１のノズル群と、緩浸透黒インクを吐出する複数のノズルが、副走査方向に前記第１のノズル群と同じピッチで、かつ、前記第１のノズル群に対して１／２ピッチだけ副走査方向にずれて配置されている第２のノズル群と、を有する印刷ヘッドと、前記印刷ヘッドの主走査方向へ走査、及び前記第１及び第２のノズル群からのインク吐出を制御する制御手段と、を備え、前記制御手段は、前記第１のノズル群から緩浸透黒インクを吐出させる一方、前記第２のノズル群から超浸透黒インクを吐出させずに印刷する第１印刷モードと、前記印刷ヘッドの移動速度が前記第１印刷モードのときよりも速く、かつ、前記印刷ヘッドの一回の走査で１バンドの印刷をする第２印刷モードであって、前記第１のノズル群から緩浸透黒インク、及び前記第２のノズル群から超浸透黒インクをそれぞれ吐出させて印刷をする、第２印刷モードと、を含む複数の印刷モードのいずれかで印刷を行うように制御する。
【０００９】
これにより、印字速度を高速に設定した場合であっても、高い印字品質を維持しつつ、白筋を防止することができる。
【００１０】
好適な実施態様では、前記制御手段は、前記第２印刷モードでは、画素値が大きくなるに連れて、吐出するインク量に占める超浸透黒インクの割合が大きくなるように、超浸透黒インク及び緩浸透黒インクの混合比率を変動させる。
【００１１】
これにより、画素値が小さく、隙間をあけてブラックインクを吐出したい場合には、浸透性が低い緩浸透インクのインク量の比率を大きくして、ドット間の隙間を埋めないよう設定できるとともに、画素値が大きく、隙間なくブラックインクを吐出したい場合には、浸透性が高く広がりのある超浸透インクのインク量を多くして、緩浸透インクで形成されるドット間の副走査方向の隙間を埋めることができる。
【００１２】
好適な実施態様では、前記印刷ヘッドは、超浸透カラーインクを吐出する複数のノズルが、副走査方向に前記第１のノズル群と同じピッチで、かつ、前記第１のノズル群と副走査方向にピッチを揃えて配置されている第３のノズル群をさらに有し、前記制御手段は、前記第１印刷モードでカラー印刷を行うときは、前記第１のノズル群から緩浸透黒インク、及び前記第３のノズル群から超浸透カラーインクをそれぞれ吐出させる一方、前記第２のノズル群から超浸透黒インクを吐出させずに印刷し、前記第２印刷モードでカラー印刷を行うときは、前記第１のノズル群から緩浸透黒インク、前記第２のノズル群から超浸透黒インク、及び前記第３のノズル群から超浸透カラーインクをそれぞれ吐出させて印刷を行うように制御する。
【００１３】
これにより、第１印刷モードのカラー印刷においては、カラー部分には、混色滲みの少ない高品質なカラー印刷が可能になるとともに、黒色部分には、緩浸透ブラックインクを使用することで高濃度でクリアな印刷品質が確保される。加えて、第２印刷モードのカラー印刷においては、混色滲みを防止しつつ、白筋の発生しないカラー印刷が可能になるとともに、黒色部分においては、白筋を防止しかつ緩浸透ブラックインクの高濃度でクリアな印字品質も確保できる。
【図面の簡単な説明】
【００１４】
【図１】本発明の一実施形態に係る印刷装置を備えた印刷システムの構成を示すブロック図である。
【図２】図１のヘッドに設けられたノズル群を示すブロック図である。
【図３】印刷条件による使用インクを示した表である。
【図４】印刷色が白黒の場合のホスト側コントローラーの処理を示すフローチャートである。
【図５】各印刷モードにおける記録紙に着弾されたブラックインクの様子を示す図である。
【図６】印刷色がカラーの場合のホスト側コントローラーの処理を示すフローチャートである。
【図７】画素値とブラックインクの吐出量との関係を示したグラフである。
【図８】一画素あたりにおける、ブラックインクが記録紙に着弾された様子を示す説明図である。
【発明を実施するための形態】
【００１５】
以下、本発明の好適な一実施形態について図面に基づいて説明する。
【００１６】
図１は、本実施形態に係る印刷装置を備えた印刷システムの構成を示すブロック図である。
【００１７】
印刷システム１００は、プリンター１、コンピューター１１０、表示装置１２０、入力装置１３０及び記録再生装置１４０を備える。プリンター１は、紙、布、フィルムなどの記録媒体にインクを吐出し画像を形成する。
【００１８】
コンピューター１１０は、プリンター１と通信可能に接続される。コンピューター１１０には、アプリケーションプログラムやプリンタードライバ等のコンピュータープログラムがインストールされる。コンピューター１１０は、ホスト側コントローラー１１１を有する。コンピューター１１０は、ホスト側コントローラー１１１を介して、画像に応じた印刷データをプリンター１に出力する。
【００１９】
印刷データは、プリンター１が解釈できる形式のデータであって、各種のコマンドデータ及びドット形成データを有する。コマンドデータとは、プリンター１に特定の動作の実行を指示するためのデータである。また、ドット形成データは、記録用紙の上に形成されるドットに関するデータであり、単位領域ごとに定められる。ここで、単位領域とは、記録紙などの記録媒体上に仮想的に定められた矩形状の領域であり、ドットが形成され得る仮想領域に相当する。単位領域は、例えば一画素として形成される。
【００２０】
ホスト側コントローラー１１１は、インターフェース部１１２、ＣＰＵ１１３及びメモリー１１４を有する。ホスト側コントローラー１１１は、コンピューター１１０側の各種制御を行い、表示装置１２０、入力装置１３０、及び、記録再生装置１４０と通信可能に接続される。ホスト側コントローラー１１１は、インターフェース部１１２を介して、プリンター１との間で印刷データの受け渡しを行う。ＣＰＵ１１３は、コンピューター１１０の全体的な制御を行う演算処理装置である。メモリー１１４には、ＣＰＵ１１３が使用するコンピュータープログラムを格納する領域や作業領域などが確保される。ＣＰＵ１１３は、メモリー１１４に格納されているコンピュータープログラムに従って各種の制御を行う。
【００２１】
表示装置１２０は、例えば、液晶ディスプレイ等で構成され、印刷画像やユーザーへの指示画面が表示される。入力装置１３０は、例えば、表示装置１２０に表示される指示画面に従って、ユーザーが必要な情報を入力するための装置である。ユーザーは、例えば、表示装置１２０に表示される指示画面に従って、入力装置１３０から、高速モード及び通常モードを含む印刷速度のモード指定、普通紙及び専用紙を含む記録紙の指定、白黒及びカラーを含む印刷色の選択等を行う。入力装置１３０から入力された各種の指定、選択等は、ＣＰＵ１１３によってコマンドデータに変換され、ドット形成データとともにインターフェース部１１２を介してプリンター１に送信される。記録再生装置１４０には、例えば、フレキシブルディスクドライブ装置等が用いられる。
【００２２】
次に、プリンター１の構成について説明する。プリンター１は、用紙搬送機構２０、キャリッジ移動機構３０、ヘッドユニット４０（ヘッド４１、ヘッド制御部５０）プリンター側コントローラー６０、及び、駆動信号生成回路７０を有する。
【００２３】
用紙搬送機構２０は、媒体としての記録紙を印刷可能な位置まで送り込み、また、記録紙を副走査方向に搬送する。用紙搬送機構２０は、記録紙を搬送するための搬送ローラ２１、及び搬送ローラ２１を回転させるための搬送モータ２２を有する。なお、用紙搬送機構２０は、記録紙を搬送できる限りこの構成に限定されない。
【００２４】
キャリッジ移動機構３０は、ヘッドユニット４０が取り付けられたキャリッジＣＲを主走査方向に移動させる。主走査方向は、副走査方向に交差する方向である。
【００２５】
キャリッジ移動機構３０は、例えば、キャリッジＣＲに接続されたタイミングベルト３１と、タイミングベルト３１を移動させるための一対のプーリー３２と、一方のプーリー３２に回転軸が接続された駆動モータ３３とを有する。
【００２６】
ヘッドユニット４０は、記録紙へ向けてインクを吐出するヘッド４１と、ヘッド４１の動作を制御するヘッド制御部５０とを有する。ヘッド４１は図示しないピエゾ素子を備え、ピエゾ素子の変形によって、ノズルからインクが吐出される。
【００２７】
図２はプリンター１のヘッド４１に設けられたノズル群を示すブロック図である。
【００２８】
ヘッド４１は、第１のノズル群に相当する緩浸透ブラックノズル群４１１と、第２のノズル群に相当する超浸透ブラックノズル群４１２と、第３のノズル群に相当する超浸透カラーノズル群４１３とを備える。これらノズル群４１１、４１２、４１３は、ヘッド４１に対し、主走査方向に略等間隔で並列に設けられている。
【００２９】
緩浸透ブラックノズル群４１１は、緩浸透インクの黒が吐出されるノズル群である。超浸透ブラックノズル群４１２は、超浸透インクの黒が吐出されるノズル群である。超浸透カラーノズル群４１３は、図示例のように、超浸透インクのＣ（シアン）が吐出されるノズル群４１３Ｃと、超浸透インクのＭ（マゼンダ）が吐出されるノズル群４１３Ｍと、超浸透インクのＹ（イエロー）が吐出されるノズル群４１３Ｙとを有してもよい。これらのノズル群４１３Ｃ、４１３Ｍ、４１３Ｙもまた、主走査方向に略等間隔で並列に設けられている。なおここで超浸透インクとは、記録紙への浸透速度が速く定着率がよいため、隣接するインク同士の混色滲みが発生しにくいインクである。他方、緩浸透インクは、超浸透インクに比べて、記録紙への浸透速度が遅く広がりは少ないが、高濃度でクリアな印字品質が得られるインクである。
【００３０】
各ノズル群４１１、４１２、４１３Ｃ、４１３Ｍ、４１３Ｙには、それぞれ、副走査方向に所定ピッチで複数のノズルが配置されている。図示例では、各ノズル群４１１、４１２、４１３Ｃ、４１３Ｍ、４１３Ｙには、それぞれ、１／７２０インチピッチで５個のノズルが配置されている。しかし、各ノズル群４１１、４１２、４１３Ｃ、４１３Ｍ、４１３Ｙ内ノズルのピッチ及びノズルの個数はこれに限定されない。
【００３１】
超浸透ブラックノズル群４１２内の各ノズル及び超浸透カラーノズル群４１３Ｃ、４１３Ｍ、４１３Ｙ内の各ノズルは、副走査方向に同ピッチで、かつ主走査方向に一列に揃って配置されている。
【００３２】
一方、緩浸透ブラックノズル群４１１内の各ノズルは、超浸透ブラックノズル群４１２内の各ノズル及び超浸透カラーノズル群４１３Ｃ、４１３Ｍ、４１３Ｙ内の各ノズルに対して１／２ピッチだけ副走査方向にずれた状態で配置されている。例えば、図示例では、超浸透ブラックノズル群４１２の各ノズルは、他のノズル群４１２、４１３Ｃ、４１３Ｍ、４１３Ｙの各ノズルに対して、１／１４４０インチピッチ副走査方向にずれて配置されている。
【００３３】
再び図１に戻って説明する。ヘッド制御部５０は、後述するプリンター側コントローラー６０からのヘッド制御信号に基づいて駆動信号生成回路７０で生成された信号のうち必要な駆動信号（ＣＯＭ＿Ａ、ＣＯＭ＿Ｂ）をピエゾ素子に印加する。ピエゾ素子は、印加された駆動信号に応じて変形する。
【００３４】
プリンター側コントローラー６０は、コンピューター１１０から送信された印刷データに基づいてプリンター１側の各部を制御する。例えば、プリンター側コントローラー６０は、用紙搬送機構２０、キャリッジ移動機構３０、ヘッド４１、ヘッド制御部５０、及び、駆動信号生成回路７０を制御する。
【００３５】
プリンター側コントローラー６０は、ユーザーが入力装置１３０を介して指示した、高速モード及び通常モードを含む印刷速度のモード指定、普通紙及び専用紙を含む記録紙の指定、白黒及びカラーを含む印刷色の選択等、印刷条件にあわせた制御を、コンピューター１１０から送信されたコマンドデータに基づいて行う。印刷条件に合わせた詳細な制御方法は後述する。
【００３６】
プリンター側コントローラー６０は、インターフェース部６１と、ＣＰＵ６２と、メモリー６３と、制御ユニット６４とを有する。インターフェース部６１は、コンピューター１１０との間で印刷データの受け渡しを行う。ＣＰＵ６２は、プリンター１の全体的な制御を行う演算処理装置である。メモリー６３には、ＣＰＵ６２が使用するコンピュータープログラムを格納する領域や作業領域などが確保される。ＣＰＵ６２は、メモリー６３に格納されたコンピュータープログラムに従い、各制御対象部を制御する。例えば、ＣＰＵ６２は、ヘッド４１動作を制御するへッド制御信号のヘッド制御部５０への出力、駆動信号生成のための制御信号の駆動信号生成回路７０への出力等を制御する。
【００３７】
駆動信号生成回路７０は、プリンター側コントローラー６０からの制御信号に基づき、駆動信号を生成する。駆動信号が印加されると、ピエゾ素子が変形して対応するノズルからインクが吐出される。なお、本実施形態では、ピエゾインクジェット方式のプリンター１について説明しているが、これに限定されず、サーマルインクジェット方式など他の方式のプリンター１であってもよい。
【００３８】
次に、コマンドデータに基づきプリンター側コントローラー６０が行う、印刷条件に合わせたプリンター１の制御方法を詳細に説明する。図３は、印刷条件による使用インクを示した表である。記録紙の指定において「普通紙」が指定された場合から説明する。印刷色が「白黒」でかつ「通常モード」が指定された場合には、緩浸透ブラックインクのみが使用され、プリンター側コントローラー６０は、緩浸透ブラックノズル群４１１から緩浸透ブラックインクを吐出させる一方、超浸透ブラックノズル群４１２から超浸透ブラックインクを吐出させずに印刷するよう制御する。印刷色が「白黒」でかつ「高速モード」が指定された場合には、緩浸透ブラックインク及び超浸透ブラックインクが使用され、プリンター側コントローラー６０は、緩浸透ブラックノズル群４１１から緩浸透ブラックインク、及び超浸透ブラックノズル群４１２から超浸透ブラックインクをそれぞれ吐出させて印刷をするよう制御する。なお、高速モードは、ヘッド４１の移動速度が通常モードのときよりも早く、かつ、印刷ヘッドの一回の走査で１バンドの印刷をするモードである。
【００３９】
印刷色が「カラー」でかつ「通常モード」が指定された場合には、緩浸透ブラックインク及び超浸透カラーインクが使用され、プリンター側コントローラー６０は、緩浸透ブラックノズル群４１１から緩浸透ブラックインク、及び超浸透カラーノズル群４１３から超浸透カラーインクをそれぞれ吐出させる一方、超浸透ブラックノズル群４１２からは超浸透ブラックインクを吐出させずに印刷するよう制御する。印刷色が「カラー」でかつ「高速モード」が指定された場合には、緩浸透ブラックインク、超浸透ブラックインク及び超浸透カラーインクを使用し、プリンター側コントローラー６０は、緩浸透ブラックノズル群４１１から緩浸透ブラックインク、超浸透ブラックノズル群４１２から超浸透ブラックインク、及び、超浸透カラーノズル群４１３から超浸透カラーインクをそれぞれ吐出させて印刷するよう制御する。
【００４０】
次に、記録紙の指定において「専用紙」が指定された場合を説明する。専用紙印刷は高画質が求められる場合が多いため、専用紙が指定された場合には、印刷モードは通常モードのみとしてもよい。また、専用紙は浸透性の低い紙を用いている場合が多いため、浸透性の良い超浸透インクのみを用いてもよい。このため、図示例にあっては「専用紙」かつ「高速モード」が指定された場合は想定していない。印刷色が「白黒」でかつ「通常モード」が指定された場合には、超浸透ブラックのみが使用され、プリンター側コントローラー６０は、超浸透ブラックノズル群４１２から超浸透ブラックインクを吐出させる一方、緩浸透ブラックノズル群４１１から緩浸透ブラックインクを吐出させずに印刷するよう制御する。印刷色が「カラー」でかつ「通常モード」が指定された場合には、超浸透ブラックインク及び超浸透カラーインクが使用され、プリンター側コントローラー６０は、超浸透ブラックノズル群４１２から超浸透ブラックインク、及び超浸透カラーノズル群４１３から超浸透カラーインクをそれぞれ吐出させる一方、緩浸透ブラックノズル群４１１からは緩浸透ブラックインクを吐出させずに印刷するよう制御する。
【００４１】
なお、本実施形態では、ホスト側コントローラー１１１が、上記のような印刷条件に応じた印刷データを生成し、プリンター側コントローラー６０が、この印刷データに従ってプリンター１を制御している。しかしながら、印刷条件に応じたプリンター１の制御方法はこれに限定されない。例えば、プリンター１に、ホスト側コントローラー１１１の機能を搭載するなどしてもよい。
【００４２】
次に、本実施形態にかかるホスト側コントローラー１１１の処理について説明する。
【００４３】
図４は、印刷色が白黒の場合のプリンター１の動作を示すフローチャートである。ユーザーは入力装置１３０から印刷色「白黒」を指定している。図５（ａ）は、通常モード時における記録紙に着弾されたブラックインクの様子を示す図である。図５（ｂ）は、高速モード時における記録紙に着弾されたブラックインクの様子を示す図である。
【００４４】
ホスト側コントローラー１１１は、指定された記録紙が、普通紙であるか専用紙であるかを判定する（ステップＳ１１）。
【００４５】
指定された記録紙が「専用紙」であった場合には（ステップＳ１１：専用紙）、ホスト側コントローラー１１１は、超浸透ブラックインクのみを使用する印刷データを生成する（ステップＳ１３）。
【００４６】
ホスト側コントローラー１１１は、ステップＳ１３で生成した印刷データをプリンター１へ送信する（ステップＳ１６）。
【００４７】
そしてプリンター１は、ステップＳ１６で受信した印刷データに基づき、超浸透ブラックノズル群４１２からインクを吐出して印刷を行う。
【００４８】
これにより、モノクロ写真印刷等、専用紙を用いた白黒印刷の場合には、紙質に適した超浸透ブラックインクのみを用いた白黒印刷が可能となる。
【００４９】
指定された記録紙が「普通紙」であった場合には（ステップＳ１１：普通紙）、ホスト側コントローラー１１１は、印刷モードの判定を行う（ステップＳ１２）。
【００５０】
印刷モードが「通常モード」であった場合には（ステップＳ１２：通常モード）、緩浸透ブラックインクのみを使用する印刷データを生成する（ステップＳ１５）。
【００５１】
ホスト側コントローラー１１１は、ステップＳ１５で生成した印刷データをプリンター１へ送信する（ステップＳ１６）。
【００５２】
そしてプリンター１は、ステップＳ１６で受信した印刷データに基づき、緩浸透ブラックノズル群４１１からインクを吐出して印刷を行う。
【００５３】
図５（ａ）に示すように、通常モードにおいては、緩浸透ブラックインクのみを使用して印刷をしても、副走査方向の隙間（白筋）は発生しない。なぜならば、通常モードのキャリッジの移動速度は、高速モードの場合よりも遅く、緩浸透インクが副走査方向に広がるための十分なインク量を打ち込むことができるからである。これにより、緩浸透ブラックインクのみを使用することで高濃度でクリアな印刷品質が確保される。
【００５４】
印刷モードが「高速モード」であった場合には（ステップＳ１２：高速モード）、ホスト側コントローラー１１１は、緩浸透ブラックインクと超浸透ブラックインクを使用する印刷データを生成する（ステップＳ１４）。
【００５５】
ホスト側コントローラー１１１は、ステップＳ１５で生成した印刷データをプリンター１へ送信する（ステップＳ１６）。
【００５６】
そしてプリンター１は、ステップＳ１６で受信した印刷データに基づき、緩浸透ブラックノズル群４１１及び超浸透ブラックノズル群４１２からそれぞれインクを吐出して印刷を行う。
【００５７】
超浸透ブラックノズル群４１２の各ノズルが、緩浸透ブラックノズル群４１１の各ノズルに比べて１／２ピッチ副走査方向にずれて形成されていることにより、図５（ｂ）に示すように、副走査方向に隣接する緩浸透ブラックインクの着弾位置の間に超浸透ブラックインクが着弾する。つまり、緩浸透ブラックインク間に生ずる白筋のところに超浸透ブラックインクが打ち込まれる。その結果、高速モードにおいても白筋が発生せずかつ緩浸透ブラックインクの高濃度でクリアな印字品質も確保できる。
【００５８】
次にカラー印刷の場合のホスト側コントローラー１１１の処理を説明する。
【００５９】
図６は、印刷色がカラーの場合のプリンター１の動作を示すフローチャートである。ユーザーは入力装置１３０から印刷色「カラー」を選択している。
【００６０】
ホスト側コントローラー１１１は、指定された記録紙が、普通紙であるか専用紙であるかを判定する（ステップＳ２１）。
【００６１】
指定された記録紙が「専用紙」であった場合には（ステップＳ２１：専用紙）、ホスト側コントローラー１１１は、超浸透ブラックインクと超浸透カラーインクを使用する印刷データを生成する（ステップＳ２３）。
【００６２】
ホスト側コントローラー１１１は、ステップＳ２３で生成した印刷データをプリンター１へ送信する（ステップＳ２６）。
【００６３】
そしてプリンター１は、ステップＳ２６で受信した印刷データに基づき、超浸透ブラックノズル群４１２及び超浸透カラーノズル群４１３からそれぞれインクを吐出して印刷を行う。
【００６４】
これにより、カラー写真印刷等、専用紙を用いたカラー印刷の場合には、紙質に合わせた超浸透ブラックインク及び超浸透カラーインクを用いて印刷が可能となる。さらに、専用紙を用いた高画質な印刷の場合には、超浸透カラーノズル群４１３の各ノズルに対して、ノズルのピッチずれのない超浸透ブラックノズル群４１２の各ノズルから吐出される超浸透ブラックインクを用いることで、ブレのない高い印字品質が確保できる。
【００６５】
指定された記録紙が「普通紙」であった場合には（ステップＳ２１：普通紙）、ホスト側コントローラー１１１は、印刷モードの判定を行う（ステップＳ２２）。
【００６６】
印刷モードが「通常モード」であった場合には（ステップＳ２２：通常モード）、緩浸透ブラックインクと超浸透カラーインクを使用する印刷データを生成する（ステップＳ２５）。
【００６７】
ホスト側コントローラー１１１は、ステップＳ２５で生成した印刷データをプリンター１へ送信する（ステップＳ２６）。
【００６８】
そしてプリンター１は、ステップＳ２６で受信した印刷データに基づき、緩浸透ブラックノズル群４１１及び超浸透カラーノズル群４１３からそれぞれインクを吐出して印刷を行う。
【００６９】
図５（ａ）に示すように、通常モードにおいては、緩浸透ブラックインクのみを使用して印刷をしても、ブラックインクに副走査方向の隙間（白筋）は発生しない。前述したとおり、通常モードのキャリッジの移動速度は、高速モードの場合よりも遅く、緩浸透インクが副走査方向に広がるための十分なインク量を打ち込むことができるからである。これにより、カラー部分には、混色滲みの少ない高品質なカラー印刷が可能になるとともに、黒色部分には、緩浸透ブラックインクを使用することで高濃度でクリアな印刷品質が確保される。
【００７０】
印刷モードが「高速モード」であった場合には（ステップＳ２２：高速モード）、ホスト側コントローラー１１１は、緩浸透ブラックインクと超浸透ブラックインクを使用する印刷データを生成する（ステップＳ２４）。
【００７１】
ホスト側コントローラー１１１は、ステップＳ２４で生成した印刷データをプリンター１側へ送信する（ステップＳ２６）。
【００７２】
そしてプリンター１は、ステップＳ２６で受信した印刷データに基づき、緩浸透ブラックノズル群４１１、超浸透ブラックノズル群４１２及び超浸透カラーノズル群４１３からそれぞれインクを吐出して印刷を行う。
【００７３】
これにより、カラー部分については超浸透カラーインクを使用することで、高速モードにおいても混色滲みを防止しつつ、白筋の発生しないカラー印刷が可能になる。加えて、黒色部分においては、前述したように、超浸透ブラックノズル群４１２の各ノズルが、緩浸透ブラックノズル群４１１の各ノズルに比べて１／２ピッチ副走査方向にずれて形成されていることにより、図５（ｂ）に示すように、副走査方向に隣接する緩浸透ブラックインクの着弾位置の間に超浸透ブラックインクが着弾されるので、高速モードにおいても白筋が発生せずかつ緩浸透ブラックインクの高濃度でクリアな印字品質も確保できる。
【００７４】
次に、画素値に合わせた、高速モードでのブラックインクの吐出量の制御方法を説明する。図７は、画素値とブラックインクの吐出量との関係を示したグラフである。図８（ａ）は、画素値が小さい場合の、一画素あたりにおける、ブラックインクが記録紙に着弾された様子を示す説明図である。図８（ｂ）は、画素値が大きい場合の、一画素あたりにおける、ブラックインクが記録紙に着弾された様子を示す説明図である。なお、図８はあくまでブラックインク着弾の様子を説明するための図であって、一画素あたりのドット数は図８に示したものに限られるものではない。
【００７５】
図７に示されるように、ホスト側コントローラー１１１は、印刷データに基づき、画素値が大きくなるに従って、吐出するブラックインク量に占める超浸透黒インクの割合が大きくなるように、超浸透黒インク及び緩浸透黒インクの混合比率を変動させるように制御する。例えば、ホスト側コントローラー１１１は、緩浸透ブラックノズル群４１１から吐出されるブラックインクの量と、超浸透ブラックノズル群４１２から吐出されるブラックインクの量との割合を制御する。これらインク量の割合は、画素値が小さいときには、超浸透ブラックインクの吐出量に比べて緩浸透ブラックインクの吐出量がはるかに多いが、画素値が大きくなるに従い、緩浸透ブラックインクの吐出量と、超浸透ブラックインクの吐出量とがほぼ同量になるように変化している。例えば、図７の例では、緩浸透ブラックインクのインク吐出量は、画素値に比例して多くなる。一方、超浸透ブラックインクのインク吐出量は、画素値に対して指数関数的に増大する、例えば、図示例では、画素値がＡのときには、おおよそ１：９の割合で緩浸透ブラックの吐出量多く、画素値がＢのときには、おおよそ３：７の割合で緩浸透ブラックの吐出量が多く、画素値がＣのときには、大よそ５：５での割合緩浸透ブラックインクと超浸透ブラックインクとがほぼ均等に吐出されるよう設定されている。
【００７６】
これにより、図８（ａ）に示されるように、画素値が小さく、隙間をあけてブラックインクを吐出したい場合には、浸透性が低い緩浸透インクのインク量の比率を大きくして、ドット間の隙間を埋めないよう設定できる。一方、図８（ｂ）に示されるように、画素値が大きく、隙間なくブラックインクを吐出したい場合には、浸透性が高く広がりのある超浸透インクのインク量を多くして、緩浸透インクで形成されるドット間の副走査方向の隙間を埋めることができる。
【００７７】
上述した本発明の実施形態は、本発明の説明のための例示であり、本発明の範囲をそれらの実施形態にのみ限定する趣旨ではない。当業者は、本発明の要旨を逸脱することなしに、他の様々な態様で本発明を実施することができる。
【符号の説明】
【００７８】
１      プリンター
４０    ヘッドユニット
４１    ヘッド
５０    ヘッド制御部
６０    プリンター側コントローラー
１００  印刷システム
１１０  コンピューター
１１１  ホスト側コントローラー
１３０  入力装置
４１１  緩浸透ブラックノズル群
４１２  超浸透ブラックノズル群
４１３  超浸透カラーノズル群
【図１】
2011183639.tif 000003
【図３】
2011183639.tif 000004
【図４】
2011183639.tif 000005
【図６】
2011183639.tif 000006
【図７】
2011183639.tif 000007
【図８】
2011183639.tif 000008
【図２】
2011183639.tif 000009
【図５】
2011183639.tif 000010
【手続補正書】
【提出日】平成22年10月20日(2010.10.20)
【手続補正１】
【補正対象書類名】明細書
【補正対象項目名】０００８
【補正方法】変更
【補正の内容】
【０００８】
本発明の一つの実施態様に従う印刷装置は、緩浸透黒インクを吐出する複数のノズルが副走査方向に所定のピッチで配置されている第１のノズル群と、超浸透黒インクを吐出する複数のノズルが、副走査方向に前記第１のノズル群と同じピッチで、かつ、前記第１のノズル群に対して１／２ピッチだけ副走査方向にずれて配置されている第２のノズル群と、を有する印刷ヘッドと、前記印刷ヘッドの主走査方向へ走査、及び前記第１及び第２のノズル群からのインク吐出を制御する制御手段と、を備え、前記制御手段は、前記第１のノズル群から緩浸透黒インクを吐出させる一方、前記第２のノズル群から超浸透黒インクを吐出させずに印刷する第１印刷モードと、前記印刷ヘッドの移動速度が前記第１印刷モードのときよりも速く、かつ、前記印刷ヘッドの一回の走査で１バンドの印刷をする第２印刷モードであって、前記第１のノズル群から緩浸透黒インク、及び前記第２のノズル群から超浸透黒インクをそれぞれ吐出させて印刷をする、第２印刷モードと、を含む複数の印刷モードのいずれかで印刷を行うように制御する。
【手続補正２】
【補正対象書類名】明細書
【補正対象項目名】００１２
【補正方法】変更
【補正の内容】
【００１２】
好適な実施態様では、前記印刷ヘッドは、超浸透カラーインクを吐出する複数のノズルが、副走査方向に前記第１のノズル群と同じピッチで、かつ、前記第２のノズル群と副走査方向にピッチを揃えて配置されている第３のノズル群をさらに有し、前記制御手段は、前記第１印刷モードでカラー印刷を行うときは、前記第１のノズル群から緩浸透黒インク、及び前記第３のノズル群から超浸透カラーインクをそれぞれ吐出させる一方、前記第２のノズル群から超浸透黒インクを吐出させずに印刷し、前記第２印刷モードでカラー印刷を行うときは、前記第１のノズル群から緩浸透黒インク、前記第２のノズル群から超浸透黒インク、及び前記第３のノズル群から超浸透カラーインクをそれぞれ吐出させて印刷を行うように制御する。
【手続補正３】
【補正対象書類名】特許請求の範囲
【補正対象項目名】全文
【補正方法】変更
【補正の内容】
【特許請求の範囲】
【請求項１】
緩浸透黒インクを吐出する複数のノズルが副走査方向に所定のピッチで配置されている第１のノズル群と、
超浸透黒インクを吐出する複数のノズルが、副走査方向に前記第１のノズル群と同じピッチで、かつ、前記第１のノズル群に対して１／２ピッチだけ副走査方向にずれて配置されている第２のノズル群と、を有する印刷ヘッドと、
前記印刷ヘッドの主走査方向への走査、及び前記第１及び第２のノズル群からのインク吐出を制御する制御手段と、を備え、
前記制御手段は、
前記第１のノズル群から緩浸透黒インクを吐出させる一方、前記第２のノズル群から超浸透黒インクを吐出させずに印刷する第１印刷モードと、
前記印刷ヘッドの移動速度が前記第１印刷モードのときよりも速く、かつ、前記印刷ヘッドの一回の走査で１バンドの印刷をする第２印刷モードであって、前記第１のノズル群から緩浸透黒インク、及び前記第２のノズル群から超浸透黒インクをそれぞれ吐出させて印刷をする、第２印刷モードと、を含む複数の印刷モードのいずれかで印刷を行うように制御する印刷装置。
【請求項２】
前記制御手段は、
前記第２印刷モードでは、画素値が大きくなるに連れて、吐出するインク量に占める超浸透黒インクの割合が大きくなるように、超浸透黒インク及び緩浸透黒インクの混合比率を変動させる、請求項１記載の印刷装置。
【請求項３】
前記印刷ヘッドは、超浸透カラーインクを吐出する複数のノズルが、副走査方向に前記第２のノズル群と同じピッチで、かつ、前記第１のノズル群と副走査方向にピッチを揃えて配置されている第３のノズル群をさらに有し、
前記制御手段は、
前記第１印刷モードでカラー印刷を行うときは、前記第１のノズル群から緩浸透黒インク、及び前記第３のノズル群から超浸透カラーインクをそれぞれ吐出させる一方、前記第２のノズル群から超浸透黒インクを吐出させずに印刷し、
前記第２印刷モードでカラー印刷を行うときは、前記第１のノズル群から緩浸透黒インク、前記第２のノズル群から超浸透黒インク、及び前記第３のノズル群から超浸透カラーインクをそれぞれ吐出させて印刷を行うように制御する印刷装置。
【請求項４】
緩浸透黒インクを吐出する複数のノズルが副走査方向に所定のピッチで配置されている第１のノズル群と、
超浸透黒インクを吐出する複数のノズルが、副走査方向に前記第１のノズル群と同じピッチで、かつ、前記第１のノズル群に対して１／２ピッチだけ副走査方向にずれて配置されている第２のノズル群と、を有する印刷ヘッドと、
前記印刷ヘッドの主走査方向への走査、及び前記第１及び第２のノズル群からのインク吐出を制御する制御手段と、を備えた印刷装置の制御方法であって、
前記制御手段は、
前記第１のノズル群から緩浸透黒インクを吐出させる一方、前記第２のノズル群から超浸透黒インクを吐出させずに印刷する第１の印刷ステップと、
前記印刷ヘッドの移動速度が前記第１印刷モードのときよりも速く、かつ、前記印刷ヘッドの一回の走査で１バンドの印刷をする第２の印刷ステップであって、前記第１のノズル群から緩浸透黒インク、及び前記第２のノズル群から超浸透黒インクをそれぞれ吐出させて印刷をする、第２の印刷ステップと、を含む複数の印刷ステップのいずれかで印刷を行う印刷装置の制御方法。